(57)【要約】      （修正有）【課題】框組引き戸の施錠装置であって、開き方向へ引く操作で同時に解錠され、引き戸の開き操作に手間が少ない施錠装置を提供する。【解決手段】框組引き戸３の戸当たり側框７の屋内側見付け面と引き戸枠２の対向縦枠１２との間に施錠装置１３を構成する。施錠装置１３は框側に引き戸３の引き手１６と回動板２８を取付け、縦枠１２側に受け具２９を配置する。回動板２８は操作部と係合部を備え、付勢用ばねを有するヒンジ構造で回動可能とされ、引き手１６の握り部を握る操作で回動板２８が回動され、係合部と受け具２９との係合による施錠状態を解除する。【選択図】図１
2015168940.tif 000002
【特許請求の範囲】
【請求項１】
框組引き戸の施錠装置であって、
施錠装置は基板と戸を開閉するための引き手と錠装置とからなり、
引き手は上下方向の握り部と握り部に上下方向の間隔をおいて設けた上下のアーム部とからなり、アーム部の框側基部を前記基板に取り付け、基板と握り部との間に手の甲を通せる間隔を持って配置され、
施錠装置は、回動板と受け具とからなり
回動板は、前記引き手の高さの範囲に収まる高さであって、基板との間に構成したヒンジ構造により上下方向の回動軸を中心に回動可能とされており、
前記の回動板は、前記回動軸の前記握り部側を操作部、反対側を係合爪を備えた係合部とし、前記のヒンジ構造に設けたばねによって操作部が引き手の握り部から離れる方向に常時付勢されており、
前記の操作部には手の甲を通せる挿通孔が形成されており、
受け具は、框組引き戸の戸先側縦框と対向する側に開口された受け口と、その内部に設けた受け部を備え、
基板を框組引き戸の戸当たり側縦框の屋内側見付け面に固定し、受け具を前記框組引き戸を建て込む引き戸枠の前記縦框に対向した縦枠の屋内側見付け面に固定し、框組引き戸を閉じたとき戸当たり側において前記回動板の係合部が受け具の受け部に係合して施錠されるとともに回動板の操作部が引き手の握り部から離れた位置とされ、回動板の前記操作部を引き手の握り部側へ回動させることで解錠されることを特徴とした框組引き戸の施錠装置。
【請求項２】
回動板の操作部を引き手の握り部側へ回動させた状態に維持できる閉め出され防止機構を備えたことを特徴とする請求項１に記載の框組引き戸の施錠装置。
【発明の詳細な説明】
【技術分野】
【０００１】
本発明は、ガラス障子のような框組引き戸が不測に開かれるのを防止する引手兼用の錠装置に関する。框組引き戸は、玄関口、室内出入り口、窓、ベランダの出入り口あるいは門扉に利用される。また、引き戸には片引き戸、引違い戸がある。
【背景技術】
【０００２】
従来の引き戸用ロック装置はクレセントに代表されるように、引き戸を開閉操作する部分となる戸先に対して戸尻側（片引き戸）や召し合わせ側（引違い戸）に取付けられることが多い（特許文献１）。また、戸先側にあって引手を持つと同時にレバーを操作し、レバーが操作されるとラッチが外れて引き戸を開閉操作することができる引手兼用の錠装置も提案されている（特許文献２）。
【０００３】
さらに、冷蔵庫や自動車などの開閉扉に組み込まれる施錠装置では、開閉操作するためのハンドルなど操作部の動きをロック装置の作動に関連させ、操作部を引くなどするとロックが外れ、そのまま引き戸を開くことができるものがある。例えば、特許文献３の「開閉扉のラッチ機構」は、開閉扉の把手を握ると同時にレバー部材（垂直部４と水平部５）を操作でき、そのまま開くことができる。そして、扉を閉じると自動的にラッチ（Ｕ字形溝９と係止編１０）が機能する。このような構造は、引出式キャビネットの、裏面側にラッチ用レバーを備えた把手にもみられる構造である（特許文献３）。
【先行技術文献】
【特許文献】
【０００４】
【特許文献１】特開２００３−２６２０５２号公報
【特許文献２】特開平１０−２１２８５０号公報
【特許文献３】実公昭５５−０３５３９１号公報
【発明の概要】
【発明が解決しようとする課題】
【０００５】
前記の従来技術には、框組したガラス障子など框組引き戸に適した引き手兼用の施錠装置について開示がない。特許文献２の引手とレバーは同時に操作され、ラッチ機構によるロック状態の解除などがなされるが、引手は引き戸の見つけ面部分に掘り込むかあるいは貫通孔を設けて構成され、その切込み断面部分にレバーがはめ込まれている。このような構造は見つけ面が狭い框組引き戸の框に採用することは困難である。また、引用文献３にみられるようなラッチによるロック及びロック状態の解除構造はハンドルを利用したロック状態解除の基本構造として知られるものであるが、框組引き戸の框に採用できるような技術事項の開示はない。
【０００６】
また、例えば、框組ガラス障子の場合、召し合わせ部分を屋内側から操作するクレセントで施錠すれば屋外側から障子の開閉はできなくなるが、クレセント錠は小さく、その部分のガラスを切り抜いて手を差し込み、クレセント錠を解錠することで簡単に開閉ができてしまうので用心が悪い。さらに、クレセント錠などは施錠効果だけを期待できるもので、框組引き戸に引き手がないために戸を閉じる際に戸当たり框と建物の開口部枠との間に指を挟んでしまうなどの事故を防止することはできない。
この発明は、框組引き戸の開閉とロック及びロック状態の解除を戸先側で一挙に安定して確実に行え、かつ、開閉操作を安全に行える、框組引き戸の施錠装置を提供することを課題とする。
【課題を解決するための手段】
【０００７】
框組引き戸の施錠装置を次のように構成する。框組引き戸は建物の開口部に取り付けられた引き戸枠に建付けられ、前記の開口部を開閉するためのものである。
施錠装置は基板と引き手と錠装置とからなる。引き手は、戸を開閉するためのものである。
引き手は握り部と上アーム部及び下アーム部とからなる。引き手は、アーム部の框側基部を前記の基板に固定して取り付ける。このとき、基板と握り部との間には手の甲を通せる間隔を設ける。
【０００８】
錠装置は、回動板と受け具とで構成する。
回動板は、前記引き手の高さの範囲に収まる高さであって、前記基板とヒンジ構造により回動可能とされる。ヒンジの回動軸は上下方向に配置される。
また、前記の回動板は、ヒンジの回動軸に関して引き手の握り部側を操作部、その反対側を係合部とする。係合部には係合爪を設ける。なお、回動板は前記のヒンジ構造に設けたばねによって操作部が引き手の握り部から離れる方向に常時付勢しておく。さらに、前記の操作部には手の甲を通せる挿通孔を設ける。
【０００９】
受け具は受け口とその内部に設けた受け部を備える。前記の受け口は受け具の框組引き戸の戸先側縦框と対向する側に開口する。
そして、前記の基板を框組引き戸の戸当たり側縦框の内側見付け面に固定する。これにより前記の引き手、錠装置が戸当たり側縦框に固定される。
受け具は、縦枠の見込み方向内側面に固定される。この縦枠は、框組引き戸を建て込む引き戸枠の前記錠装置を取り付けた縦框と対向する側である。すなわち、受け具は錠装置の回動板における係合爪と対向した位置に取り付けられる。
【００１０】
従って、框組引き戸を閉じたとき戸当たり側において前記回動板の係合部が受け具の受け口から内部に進入して受け部に係合される。これにより施錠状態となる。この作動はヒンジ機構のヒンジ軸を中心とした回動板の回動とばねの付勢によって行われ、回動板の操作部は引き手の握り部から離れた位置となる。
【００１１】
建物開口部を開きたいときは、框組引き戸の引き手を回動板の操作部と共に握り、開放方向に引く。この操作では、引き手の握り部を握る行為が同時に回動板の操作部を握り部側へ回動することになり、回動板の係合部を受け部から解放する。すなわち、框組引き戸を開こうと引き手の握り部を握る行為が同時に解錠操作となり、框組引き戸を一つの操作で行うことができる。
【００１２】
なお、前記の施錠装置の構造では、錠装置における回動板の操作部がばねの付勢によって、引き手の握り部から離れる方向へ常時付勢されているので、框組引き戸を開けて外に出、そのままうっかり框組引き戸を閉じてしまうと、施錠装置はそのまま自動的に施錠状態となり、外に出た人は閉め出されて、再び屋内へ戻ることができなってしまう。このような閉め出し状態を回避するために、閉め出し回避機構を設けることがある。
【発明の効果】
【００１３】
引き手の握り部を握る行為が同時に解錠操作となるので、引き手を握って引くだけで建物開口部に設けた框組引き戸を開けることができる。
建物開口部を閉じるときは、引き手を持って框組引き戸を閉じれば、係合部が受け部に係合する際に回動板がばねの付勢に抗して回動したのちもとに戻ることで係合し、自動的に施錠状態となる。
框組引き戸の開閉に引き手を用いるので、閉じるときに戸先側縦框と引き戸枠の縦枠との間に指を挟む心配が無い。
引き手と施錠装置が同じ箇所に位置するので外部からガラスを切り抜いて操作するにも比較的大きく切り抜く必要があり、操作が可能となるまでに時間を要するので、外部からの侵入に対し、防犯性が高い。
【図面の簡単な説明】
【００１４】
【図１】建物開口部の引き戸枠に框組引き戸が建て込まれている斜視図。
【図２】錠装置を分解して示した斜視図。
【図３】錠装置の側面図（透視して示している）。
【図４】錠装置の正面図（透視して示している）。
【図５】回動板と基板に対する回動板の取付部を拡大して示す側面図。
【図６】錠装置の外観を示した斜視図。
【図７】施錠状態を説明するための平面図（一部断面、透視）。
【図８】解錠状態を説明するための平面図（一部断面、透視）。
【図９】閉め出され防止機構を備えた平面図（通常状態）。
【図１０】閉め出され防止機構を備えた平面図（閉め出され防止状態）。
【発明を実施するための形態】
【００１５】
以下、実施例を図面を用いて説明する。
〔実施例１〕
図１は、建物の開口部１を示し、引き戸枠２に框組引き戸３が建て込まれている。この実施例において、框組引き戸３は框組ガラス障子であり、２枚が引き違いに建て込まれている。それぞれの框組引き戸３（３ａ，３ｂ）が上下の横框４，５、左右の縦框６，７とで組まれた框組の内側にガラス板８が装着されている。左右の縦框６，７のうち一方が戸当たり側縦框であり、他方が召し合わせ側縦框となる。
引き戸枠２は上下の横枠９，１０と左右の縦枠１１，１２とで組まれた開口部枠である。
【００１６】
屋内側となる框組引き戸３ａの右縦框７と引き戸枠２の右縦枠１２にわたり右側施錠装置１３が設けられている。また、屋外側となる框組引き戸３ｂの左縦框６と引き戸枠２の左縦枠１１にわたり左側施錠装置１４（部品１４ａ，１４ｂとからなる）が設けられている。施錠装置１３，１４は配置が左右対称となるが同じ構造である。
施錠装置１３は、図２のように、基板１５と引き手１６と錠装置１７とからなる。
基板１５は、上下方向に長い長方形の平板部１８を主体として平板部１８の右辺に屋内側へ折り込んだ位置決め片１９と左辺の中央部から屋外側へ突出したストッパー片２０を有する。また、平板部１８の上部と下部にそれぞれ平行な２条の横長孔２１（２１ａ，２１ｂ），２２（２２ａ，２２ｂ）が形成され、中央部に上下に間隔を取ったバーリング孔２３が形成されている。
【００１７】
引き手１６は、框組引き戸３ａを開閉するためのものであり、握り部２４と上アーム部２５及び下アーム部２６とからなり、概ねコ字形の外観である。引き手１６は、前記上下のアーム部２５，２６の框側基部２５ａ，２６ａを前記の基板１５の平板部１８に横長孔２１ａ，２２ａとを利用してねじ止めなどにより固定して取り付ける。このとき、基板１５と握り部２４との間には手の甲を通せる間隔ｓ１を設ける（図３）。図２において符号２７ａ，２７ｂは補強部材であり、上アーム部２５の基部下面と基板１５との間及び下アーム部２６の基部上面と基板１５とにそれぞれねじ止めされる。
【００１８】
錠装置１７は、回動板２８と受け具２９とで構成する（図２）。
回動板２８は、引き手１６の高さの範囲に収まる高さであって、前記基板１５とヒンジ構造３０により回動可能に組み付けられる。回動板２８は一枚のステンレス板をプレス加工したものであり、略長方形の操作部３１とその右辺の中央部から右側へ突出し台形をした係合部３２を備える。前記の操作部３１には手の甲を通せる挿通孔３３を設け、係合部３２の右辺には屋外側へ屈曲された係合爪３４を設け、係合部３２の上下辺であって前記の操作部３１に近い箇所に屋内側へ屈曲された上下の回動側ステー３５ａ，３５ｂを一体に備えている。係合爪３４の上下方向寸法は受け具２９の受け口（後述）の上下方向寸法よりも小さい。
【００１９】
ヒンジ構造３０は、前記回動板２８における係合部３２の前記回動側ステー３５ａ，３５ｂと蝶番台３６（図２）、上下の蝶番軸３７ａ，３７ｂ及び上下の付勢用ばね３８ａ，３８ｂとで構成される。そして、蝶番台３６は前記の回動側ステー３５ａ，３５ｂ間に収まる上下方向に長い長方形板であり、上下に支持側ステー３９ａ，３９ｂを屋外側へ突出させて備えている。
【００２０】
回動側ステー３５ａ，３５ｂと支持側ステー３９ａ，３９ｂを上部と下部で重ね、上部の回動側ステー３５ａと支持側ステー３９ａの間に付勢用ばね３８ａを配置して蝶番軸３７ａで回動可能に取付け、同様に下部の回動側ステー３５ｂと支持側ステー３９ｂの間に付勢用ばね３８ｂを配置して蝶番軸３７ｂで回動可能に取付ける。これにより、蝶番軸３７ａ，３７ｂの共通軸線を回動軸４０としたヒンジ構造３０が構成される。
【００２１】
すなわち、回動板２８はヒンジ構造３０の回動軸４０を境界にして引き手１６の握り部２４側を操作部３１、右縦框７側を係合部３２に形成してあり、付勢用ばね３８ａ，３８ｂによって操作部３１側が握り部２４から離れる方向へ常時付勢されている。付勢用ばね３８ａ，３８ｂによる回動板２８の回動は基板１５の中央部に設けたストッパー片２０によって規制され、回動板２８は操作されるまで定位置で停止している。
受け具２９は短い角筒状の部材であり、右縦框７と対向する側が開口され受け口４１とされている。受け口４１の内部には各筒の見付け面側壁を内側に巻き込んだ後、屋外側へ角度を持って立ち上がらせた受け部４２を有する。
なお、施錠装置１４では、部品１４ａが錠装置７の框側部材の全体を、部品１４ｂが錠装置の受け具２９を表示している。
【００２２】
組み付けは、まず、錠装置１７の蝶番台３６をねじビス４３で基板１５のバーリング孔２３に取付け、支持側ステー３９ａ，３９ｂに回動側ステー３５ａ，３５ｂを重ね、さらにこれらの間に付勢用ばね３８ａ，３８ｂを介在させて蝶番軸３７ａ，３７ｂで結合することにより、錠装置１７を完成させる（図４）。ついで、引き手１６の基部２５ａ，２６ａを基板１５の平板部１８の横長孔２１ａ，２２ｂを利用してねじ止めする。そして、基板１５を框組引き戸３の右縦框７（戸当たり側縦框）の屋内側見付け面に固定する（図１）。このとき、補強部材２７ａ，２７ｂを利用し、水平方向のねじにより基板１５を前記の框に固定し、垂直方向のねじにより引き手１６の基部取付けを補強する。
【００２３】
これにより前記の引き手１６、回動板２８がヒンジ構造３０を介して右縦框７に固定される。図６はその外観である。一方、受け具２９が引き戸枠２の右縦枠１２の見込み方向内側面に固定される。受け具２９は回動板２８の係合爪３４と対向した位置に受け口４１を框側として固定される。これにより、錠装置１７が完成する（図７）。
【００２４】
従って、図７に示すように、框組引き戸３ａを閉じたとき、戸当たり側において前記回動板２８の係合爪３４が受け具２９の受け口４１から内部に進入して受け部４２の折り返しによる傾斜面を滑って受け部４２に係合される。これにより框組引き戸３ａは施錠状態となる。この作動はヒンジ構造３０の回動軸４０を中心とした回動板２８の回動と付勢用ばね３８ａ，３８ｂの付勢によって行われ、回動板２８の操作部３１は引き手１６の握り部２４から離れた位置となる。
【００２５】
なお、実施例のように、引き違い障子の場合、図１のように、屋外側と屋内側の框組引き戸３ａ,３ｂに左右の施錠装置１３,１４を配置することで建物の開口部１の全体を閉鎖状態に施錠することができる。
【００２６】
建物の開口部１を開きたいときは、框組引き戸３ａの引き手１６を回動板２８の操作部３１と共に握り、開放方向に引く。この操作では、引き手１６の握り部２４を握る行為が同時に回動板２８の操作部３１を握り部２４側へ回動することになるので、回動板２８の係合爪３４を受け部４２から解放する。すなわち、框組引き戸３を開こうと引き手１６を操作する行為が同時に解錠操作となり、框組引き戸３ａを一つの操作で開き方向へ移動させることができる。
框組引き戸３ｂの場合も同様であって、左側施錠装置１４を操作することで開閉でき、また、施錠状態、解錠状態とできる。
【００２７】
〔実施例２〕
図９、図１０は第２の実施例であり、前記第１の実施例に閉め出され防止機構４６を付属させたものである。
閉め出され防止機構４６は、カム構成による位置制限機構であり、位置決め用カム４７と操作レバー４８及び位置決め片４９を備える。
位置決め用カム４７は前記回動板２８の回動軸４０に取り付けられこの軸４０を中心に、この軸よりも引き手１６側で回動する。位置決め用カム４７と操作レバー４８は一体であり、操作レバー４８を操作すると位置決め用カム４７が通常位置Ａ（図９）と閉め出され防止位置Ｂ（図１０）の間を回動する。
【００２８】
位置決め片４９は、回動板２８が付勢用ばね３８ａ，３８ｂによって回動される範囲を規制する前記のストッパー片２０を兼用したものであり、係合溝Ａ，Ｂを備え、操作レバー４８を係合溝Ａに嵌めこむと前記の位置決め用カム４７を通常位置Ａに設定でき、同様に係合溝Ｂに嵌めこむと閉め出され防止位置Ｂに設定できる。操作レバー４８は前記回動板２８と基板１５ないし框組引き戸３ａ，３ｂの縦框見付け面との間の空間に配置され、引き手１６を握る手の親指で操作できる長さとされている。
【００２９】
位置決め用カム４７が通常位置Ａにあるとき、その先端部は位置決め片４９（ストッパー片２０）に当接した回動板２８に接触しない位置であり、回動板２８は、付勢用ばね３８ａ，３８ｂに付勢されて受け具２９といつでも係合できる状態にある。また、引き手１６と共に回動板２８を握り、前記の係合状態を自由に解除できる状態にある。したがって、閉め出され防止機構４６の存在に関わらずに、框組引き戸３ａや同３ｂを開閉でき、閉じたときには自動的に施錠状態とすることができる。
【００３０】
一方、操作レバー４８を係合溝Ｂに嵌めると位置決め用カム４７は回動板２８を付勢用ばね３８ａ，３８ｂの付勢に抗して回動させ、回動板２８を解錠状態に維持する。このため、框組引き戸３ａあるいは同３ｂを開けて外に出た人が不注意でその框組引き戸３ａ又は同３ｂを閉じてしまっても、自動的に施錠状態になることはなく、閉め出されてしまうことがない。
【００３１】
以上、実施例について説明した。引き手１６や回動板２８の具体的な形態は実施例のものに限定されない。
閉め出され防止機構は、付勢用ばね３８ａ，３８ｂによる回動板２８の回転を止めて解錠状態を維持できる機構であればよく、実施例のような回転するカム式に限定されない。
実施例は框組引き戸として引き違いのガラス障子を取り上げているが、片引きであってもよいし、また、ガラス障子に限らない。
【符号の説明】
【００３２】
１    建物の開口部
２    引き戸枠
３（３ａ，３ｂ）  框組引き戸
４    上横框
５    下横框
６    左縦框
７    右縦框
８    ガラス板
９    上横枠
１０  下横枠
１１  左縦枠
１２  右縦枠
１３  右側施錠装置
１４  左側施錠装置
１５  基板
１６  引き手
１７  錠装置
１８  平板部
１９  位置決め片
２０  ストッパー片
２１（２１ａ，２１ｂ）  上部横長孔
２２（２２ａ，２２ｂ）  下部横長孔
２３  バーリング孔
２４  握り部
２５  上アーム部
２５ａ  框側基部
２６  下アーム部
２６ａ  框側基部
２７ａ，２７ｂ  補強部材
２８  回動板
２９  受け具
３０  ヒンジ構造
３１  操作部
３２  係合部
３３  挿通孔
３４  係合爪
３５ａ，３５ｂ  回動側ステー
３６  蝶番台
３７ａ，３７ｂ  蝶番軸
３８ａ，３８ｂ  付勢用ばね
３９ａ，３９ｂ  支持側ステー
４０  回動軸
４１  受け口
４２  受け部
４３  ねじビス
４４  水平方向のねじ
４５  垂直方向のねじ
４６  閉め出され防止機構
４７  位置決め用カム
４８  操作レバー
４９  位置決め片
【図１】
2015168940.tif 000003
【図２】
2015168940.tif 000004
【図３】
2015168940.tif 000005
【図４】
2015168940.tif 000006
【図５】
2015168940.tif 000007
【図６】
2015168940.tif 000008
【図７】
2015168940.tif 000009
【図８】
2015168940.tif 000010
【図９】
2015168940.tif 000011
【図１０】
2015168940.tif 000012